(57)【要約】【課題】　暗所で視認しやすく、かつ施工時の取付けが容易であり、しかも木の手摺にも適用可能な発光手摺装置を提供することである。【解決手段】　本発明の発光手摺装置は、長手方向に沿って形成された凹溝１７内に発光体１５が敷設された手摺部材１１と、この手摺部材１１の端部に取付けたエンドブラケット１２とを備え、このエンドブラケット１２または手摺部材１１に前記発光体１５を発光させるための人感知センサー１４または光センサーを設け、エンドブラケット１２内および／または手摺部材１１内に、人感知センサー１４または光センサーを駆動させる電気回路および電源が内臓されていることを特徴とする。【選択図】　図１
2004143924.tif 000002
【特許請求の範囲】
【請求項１】
　長手方向に沿って形成された凹溝内に発光体が敷設された手摺部材と、この手摺部材の端部に取付けられたエンドブラケットとを備え、このエンドブラケットまたは前記手摺部材に、前記発光体を発光させるための人感知センサーまたは光センサーを設け、前記エンドブラケット内および／または手摺部材内に、前記人感知センサーまたは光センサーを駆動させる電気回路および電源が内臓されていることを特徴とする発光手摺装置。
【請求項２】
　前記発光体が線状のエレクトロルミネセンス発光体または発光ダイオードである請求項１記載の発光手摺装置。
【請求項３】
　前記発光体を敷設した前記凹溝の開口が蓄光カバーで塞がれている請求項１または２記載の発光手摺装置。
【請求項４】
　手摺部材と、この手摺部材の端部に取付けられたエンドブラケットとを備え、このエンドブラケットの表面に、内部に発光体を敷設した発光窓と、前記発光体を発光させるための人感知センサーまたは光センサーとを設けたことを特徴とする発光手摺装置。
【請求項５】
　前記電気回路にパルス信号により発光体の発光を制御するための制御回路が併設されている請求項１〜４のいずれかに記載の発光手摺装置。
【請求項６】
　前記電気回路には、前記人感知センサーまたは光センサーの感度調節手段が設けられている請求項１〜５のいずれかに記載の発光手摺装置。
【発明の詳細な説明】
【技術分野】
【０００１】
　本発明は、一般家庭や公共施設などの階段、廊下、玄関等に設置される発光手摺装置に関する。
【背景技術】
【０００２】
　夜間などの暗闇で手摺を視認できるように、手摺に照明具を取付けることは従来からよく知られている。また、照明具の点滅を人感知センサーにて自動的に行うようにした手摺照明装置もよく知られている（下記特許文献１，２参照）。
【０００３】
　しかし、従来の手摺照明装置では、人感知センサーを手摺に近い壁などに取付けていたため、センサーの壁への埋め込みや配線工事などの大掛かりな取付け工事が必要であり、施工コストが大きいという問題がある。
【０００４】
　一方、下記特許文献３には、透光性を有する中空の手摺内に照明灯と光拡散装置とを設け、かつ手摺表面に人感知センサーを取付けた手摺が開示されている。しかし、この手摺は、中空体の所定個所に照明灯や感知センサーを取付けて構成されているため、外部電源をこれらに接続する配線が複雑になり、また手摺は透光性を有するため、これらの配線が外部から視認されるため、外観が悪いという問題がある。しかも、上記手摺は中空で透光性を有するものでなければならないため、従来から広く使用されている木の手摺には上記照明装置は適用できない。
【０００５】
【特許文献１】特開平１１−２６０１２１号公報
【特許文献２】特開平１１−４５６１５号公報
【特許文献３】特開２０００−３４８１５号公報
【発明の開示】
【発明が解決しようとする課題】
【０００６】
　本発明は、暗所で視認しやすく、かつ施工時の取付けが容易であり、しかも木の手摺にも適用可能な発光手摺装置を提供することを目的とする。
【課題を解決するための手段】
【０００７】
　本発明の発光手摺装置は、長手方向に沿って形成された凹溝内に発光体が敷設された手摺部材と、この手摺部材の端部に取付けられたエンドブラケットとを備え、このエンドブラケットまたは前記手摺部材に前記発光体を発光させるための人感知センサーまたは光センサーを設け、前記エンドブラケット内および／または手摺部材内に、前記人感知センサーまたは光センサーを駆動させる電気回路および電源が内臓されていることを特徴とする。
【０００８】
　前記線状発光体としては、消費電力が少なく、木などの手摺部材でも簡単に敷設できる線状のエレクトロルミネセンス発光体（ＥＬ発光体）または発光ダイオード（ＬＥＤ）を使用するのが好ましい。
【０００９】
　前記発光体を敷設した前記凹溝の開口は、透明プラスチック材などの透光性カバーで塞いでもよいが、蓄光カバーで塞がれているのが好ましく、これにより室内の照明を消した後はもとより、発光体の発光が消えた後でも、それらの光から光エネルギーを吸収した蓄光カバーが残光を発するため、センサーの届かない遠くからでも手摺を視認できると共に、発光体の発光時間も短縮できるため、消費電力をより低減することが可能である。
【００１０】
　本発明の他の発光手摺装置は、手摺部材と、この手摺部材の端部に取付けられたエンドブラケットとを備え、このエンドブラケットの表面に、内部に発光体を敷設した発光窓と、前記発光体を発光させるための人感知センサーまたは光センサーとを設けたことを特徴とする。すなわち、この発光手摺装置は、エンドブラケットに発光体およびセンサーを設けたものである。
【００１１】
　電気回路にパルス信号により発光体の発光を制御するための制御回路が併設されているのが好ましい。
【００１２】
　また、前記電気回路には、人感知センサーまたは光センサーの感度調節手段が設けられているのが好ましい。
【発明の効果】
【００１３】
　本発明によれば、手摺部材の長手方向に沿って発光体が敷設されているため、暗所でも手摺を容易に視認できるため、歩行者の安全性を高めることができる。また、本発明では、手摺部材を壁面などに固定するためのエンドブラケットに人感知センサーまたは光センサーを設けているので、センサーを壁面などに取付けるための施工が実質的に不要であり、施工コストも低減でき、手摺の外観を損なうこともない。また、エンドブラケット内および／または手摺部材内に、人感知センサーまたは光センサーの電気回路および電源を内臓することにより、取付時に壁面などに配線工事を行う必要がなく、施工が容易で施工コストを削減することができる。
　しかも、本発明における発光体は、手摺部材の長手方向に沿って形成した凹溝内に埋設され、かつエンドブラケットに前記センサーを設けた構造であるので、手摺部材の材質や構造には制限されることがなく、木で作られた手摺部材であっても本発明は容易に適用可能である。
【００１４】
　また、本発明の他の発光手摺装置によれば、エンドブラケットに発光体およびセンサーを設けることにより、簡単にかつ低コストで手摺に視認性を付与することができる。
【発明を実施するための最良の形態】
【００１５】
　以下、本発明の発光手摺装置を図面に基づいて詳細に説明する。
　図１は本発明の一実施形態に係る発光手摺装置を示す斜視図であり、図２はこの発光手摺装置における手摺部材の断面図である。図１に示すように、この発光手摺装置は、手摺部材１１と、その両端に設けられたエンドブラケット１２，１３とからなり、エンドブラケット１２，１３は底部が壁などの取付部１に固定されている。手摺部材１１は、例えば木、金属、プラスチックス等の各種素材から作ることができ、構造も中空物であってもよいが、特に手触りのよい木で作られた手摺部材であるのが好ましい。また、手摺部材１１の長さは、使用場所に応じて適宜決定することができるが、通常、約２００〜５０００ｍｍの範囲内であればよい。
【００１６】
　手摺部材１１の上部には、手摺部材１１の長手方向に沿ってかつ全長にわたって１本の発光部１６が形成されている。すなわち、図２に示すように、発光部１６は、手摺部材１１に設けた狭幅の底部凹溝１７内に敷設した線状の発光体１５と、底部凹溝１７の上部に形成された広幅の上部凹溝１８内に嵌着され、凹溝１７，１８を塞ぐ透光性の蓄光カバー１９とからなる。
【００１７】
　前記線状の発光体１５としては、例えば線状のＥＬ発光体、ＬＥＤなどが使用可能である。具体的には、例えばＥＬ発光体である商品名「ルミチューブ」などが挙げられる。また、蓄光カバー１９は、アクリル樹脂、ウレタン樹脂等の樹脂材料に蓄光材（蓄光顔料等）を混合し押出し成形等により成形したものである。なお、蓄光カバー１９の表面に透光性の保護カバーまたはフィルムを設けてもよい。
【００１８】
　エンドブラケット１２，１３は金属、硬質プラスチック材などで作られ、図１に示すように、前面にカバー１２ａ，１３ａを備えている。壁などの取付部１に手摺を取付ける際には、カバー１２ａ，１３ａを外して、エンドブラケット１２，１３の底板に設けたねじ挿通孔よりねじ（図示せず）を取付部１に螺入してエンドブラケット１２，１３を取付部１に固定する。
【００１９】
　一方のエンドブラケット１２には人感知センサー１４が設けられる。人感知センサー１４としては、赤外線センサーなどがあげられ、特に小型で検出エリアが広い焦電型の赤外線センサー（例えば松下電工（株）製のＭＰモーションセンサなど）を用いるのがよい。このセンサーは、周囲と温度差のある人体が動く際に起こる赤外線の変化を検出するものである。前記人感知センサー１４は、少なくとも赤外線が入射するレンズ部をエンドブラケット１２から外部に露出させた状態でエンドブラケット１２の側面に取付けられている。
【００２０】
　このような人感知センサー１４は手摺部材１１の全長を超える広いエリア（例えば半径５ｍ程度のエリア）で人体を検出できるので、手摺に近づく人体を確実に検出することができる。また、この人感知センサー１４には、必要に応じて感度を調節するための調節回路を設けるのがよい。
【００２１】
　エンドブラケット１２の内部には、人感知センサー１４の端子および発光体１５を電気的に接続する電気回路が形成されており、さらにこの電気回路には電源が接続される。そして、人感知センサー１４が人体を検出すると、自動的に電気回路が閉じて発光体１５に電流が流れて発光体１５が発光し、一定時間経過後は、自動的に電気回路が遮断されて発光体１５は発光を停止するように構成されている。発光体１５が発光している時間は、歩行者が手摺を通過するのに充分な時間であるのがよいが、前記のように蓄光カバー１９を備えている場合には、それよりも短い時間であっても、蓄光カバー１９からの残光によって手摺部材１１を表示することができる。また、電気回路にパルス信号により発光体１５の発光を制御するための制御回路を併設すると、パルス信号によって発光体１５が点滅するので、電気エネルギーの消費量の低減を図ることができる。
【００２２】
　電源は、交流電源および直流電源のいずれでもよいが、直流電源を使用する場合は、エンドブラケット１２の内部に電池を収容するようにすると、取り付け時の配線工事等が不要となり、施工が容易であるという利点がある。なお、電池の交換は、カバー１２ａを取り外して、簡単に行うことができる。また、交流電源の場合は、先端に差込みプラグを取付けた電源ケーブル（図示せず）をエンドブラケット１２内の回路に接続し、この電源ケーブルをエンドブラケット１２から引き出し、壁面などに設けたコンセントにプラグを差し込むようにすればよい。
【００２３】
　このように構成された発光手摺装置では、エンドブラケット１２、１３のいずれの方向から人が近づいても、人感知センサー１４がこれを検出し、自動的に発光体１５が発光し、蓄光カバー１９を経て発光部１６全体を明るくする。このため、暗所での手摺部材１１の視認性が向上する。なお、蓄光カバー１９に代えて、単なる透光性カバーを使用してもよい。
【００２４】
　本発明の他の実施形態を図３に示す。図３に示すように、この実施形態にかかる発光手摺装置は、手摺部材３１と、この手摺部材３１の両端に設けたエンドブラケット３２、３２とから構成されており、エンドブラケット３２には、その表面に発光窓３４、３４と、この発光窓３４、３４の内方に敷設した発光体を発光させるための人感知センサー３５が設けられている。図３において、３２ａはエンドブラケット３２に設けたカバーであり、このカバー３２ａに発光窓３４、３４および人感知センサー３５が取り付けられている。発光窓３４は、内部に発光体を取付け、表面を蓄光カバーまたは通常の透光性カバーで塞いだものである。
【００２５】
　この実施形態では、エンドブラケット３２に発光体および人感知センサー３５が設けられているので、暗所でも手摺部材３１の端部を容易に視認することができる。なお、手摺部材に前記発光部１６を設け、エンドブラケットの両方に発光体を設けてもよい。
【００２６】
　なお、人感知センサー１４、３５に代えて、周囲の明るさを検出する光センサーを使用してもよい。この光センサーは、室内が暗くなると、自動的に発光体に通電して発光させるものである。さらに、人感知センサー１４、３５に光センサーを組み合わせて、周囲が明るいときには人感知センサー１４、３５が人を感知しても発光体は発光せず、周囲が暗いときに人の動きを感知して発光体を発光させるようにすることもできる。また、光センサーに周囲の明暗を感知する感度を調節するための調節回路を設けるのがよい。
【００２７】
　また、上記実施形態では、エンドブラケット１２，１３，３２に人感知センサー１４，３５または光センサーを配置しているが、本発明はこれに限定されるものではなく、前記センサーを手摺部材１１，３１に取付けてもよい。また、上記実施形態では、エンドブラケット１２，１３，３２内に、人感知センサー１４または光センサーの電気回路および電源を内臓したが、本発明はこれに限定されるものではなく、電気回路および電源を手摺部材１１，３１内に内臓してもよい。人感知センサー１４または光センサーの電気回路および電源を手摺部材内に内臓する際に、手摺部材の構造が中空物の場合にはその内部に内蔵することができる。また、木で作られた手摺部材に配設する場合には、手摺部材の端部付近に切削等により取付穴を形成し、その取付穴内に内蔵することができる。また、エンドブラケット１２，１３，３２内および手摺部材１１，３１内に電気回路および電源を分けて内臓してもよい。
【図面の簡単な説明】
【００２８】
【図１】本発明の一実施形態に係る発光手摺装置を示す側面図である。
【図２】図１に示す手摺部材の断面図である。
【図３】本発明の他の実施形態に係る発光手摺装置を示す部分斜視図である。
【符号の説明】
【００２９】
　１１　手摺部材
　１２　エンドブラケット
　１３　エンドブラケット
　１４　人感知センサー
　１５　発光体
　１６　蓄光カバー
【図１】
2004143924.tif 000003
【図２】
2004143924.tif 000004
【図３】
2004143924.tif 000005